(57)【要約】【課題】電子機器の場所や状態を容易に把握し、保守点検を行うことができる保守点検システムおよび保守点検方法を提供すること。【解決手段】保守点検システム１０は、保守点検モードを有する携帯端末１と、各種電子機器３に設置され、携帯端末１からの近距離無線通信を受信する保守点検装置２とから構成される。現場に複数置いてある電子機器３の保守点検を行う場合、保守点検者は、携帯端末１から近距離無線通信によって各種電子機器３に保守点検にきた旨を発信する。保守点検装置２は、近距離無線通信による信号を受信すると、光または音などにより応答を行う。これにより、保守点検者は、容易に電子機器３の位置を認識することができる。【選択図】  図１
2004171182.tif 000002
【特許請求の範囲】
【請求項１】
保守点検モードを有する携帯端末と電子機器に設置された保守点検装置とからなる保守点検システムであって、
前記保守点検装置は、
保守点検モードにおいて、前記携帯端末からの近距離無線通信による信号を受信する信号受信手段と、
前記受信した信号に基づいて、所定の応答を行う応答手段と
を備えることを特徴とする保守点検システム。
【請求項２】
前記応答手段は、光または音により応答することを特徴とする請求項１記載の保守点検システム。
【請求項３】
前記保守点検装置は、
前記電子機器の状態を取得する状態取得手段と、
前記取得した電子機器の状態を前記携帯端末に送信する送信制御手段と
をさらに備えることを特徴とする請求項１または請求項２記載の保守点検システム。
【請求項４】
前記携帯端末は、前記送信制御手段により送信される前記電子機器の状態を表示する表示手段を備えることを特徴とする請求項３記載の保守点検システム。
【請求項５】
保守点検モードを有する携帯端末を用いた保守点検方法であって、
保守点検モードにおいて、前記携帯端末からの近距離無線通信による信号を受信する第１のステップと、
前記受信した信号に基づいて、電子機器に設置された保守点検装置の応答手段が所定の応答を行う第２のステップと
を有することを特徴とする保守点検方法。
【発明の詳細な説明】
【０００１】
【発明の属する技術分野】
本発明は、保守点検システムおよび保守点検方法に関する。
【０００２】
【従来の技術】
一般的に、機械や電子機器の管理として、定期的に保守点検を行うことにより、重大な故障が発生する前に故障個所や故障部品を発見することがよく行われる。このような機械の保守に関して、点検時の機械振動の信号を、既知の良好な状態（および故障した状態）の振動信号と比較することにより、機械の予測監視、診断、保守を行う技術がある（例えば、特許文献１参照）。
【０００３】
【特許文献１】
特開平５−１８７９７３号公報（第２−６頁、第２図）
【０００４】
【発明が解決しようとする課題】
しかしながら、上記の技術の場合、現場に置いた多数の機械や電子機器の保守点検を行うには、各機械の振動信号などを逐一測定する必要があり、時間がかかってしまう不都合がある。また、初めての保守であったり、点検の必要がめったにない場合であったり、機械や電子機器がわかりにくい場所に設置されているような場合に、これら機械を探すのに苦労してしまう。
そこで、本発明は、上記事情に鑑みてなされたもので、電子機器の場所や状態を容易に把握し、保守点検を行うことができる保守点検システムおよび保守点検方法を提供することを目的とする。
【０００５】
【課題を解決するための手段】
請求項１記載の発明は、保守点検モードを有する携帯端末と電子機器に設置された保守点検装置とからなる保守点検システムであって、前記保守点検装置は、保守点検モードにおいて、前記携帯端末からの近距離無線通信による信号を受信する信号受信手段と、前記受信した信号に基づいて、所定の応答を行う応答手段とを備えることを特徴とする。
このように、保守点検モードにおいて、携帯端末からの近距離無線通信で受信した信号に基づいて所定の応答を行うので、保守点検者は、電子機器の位置、場所を容易に見つけることができる。
【０００６】
請求項２記載の発明は、請求項１記載の発明において、前記応答手段は、光または音により応答することを特徴とする。
このように、応答手段は、光または音により応答するので、例えば、暗い現場では光によって応答するというように、電子機器３の位置を認識させるために、現場の状況に応じた対応をすることができる。
【０００７】
請求項３記載の発明は、請求項１または請求項２記載の発明において、前記保守点検装置は、前記電子機器の状態を取得する状態取得手段と、前記取得した電子機器の状態を前記携帯端末に送信する送信制御手段とをさらに備えることを特徴とする。
このように、保守点検装置は、取得した電子機器の状態を携帯端末に送信するので、保守点検者は、電子機器を直接調べることなく、状態を容易に把握することができる。
【０００８】
請求項４記載の発明は、請求項３記載の発明において、前記携帯端末は、前記送信制御手段により送信される前記電子機器の状態を表示する表示手段を備えることを特徴とする。
このように、携帯端末は電子機器の状態を表示する表示手段を備えるので、保守点検者は、電子機器の状態をより確実に認識することができる。
【０００９】
請求項５記載の発明は、保守点検モードを有する携帯端末を用いた保守点検方法であって、保守点検モードにおいて、前記携帯端末からの近距離無線通信による信号を受信する第１のステップと、前記受信した信号に基づいて、電子機器に設置された保守点検装置の応答手段が所定の応答を行う第２のステップとを有することを特徴とする。
【００１０】
【発明の実施の形態】
以下、本発明の保守点検システムおよび保守点検方法の好適な実施形態について図１ないし図３を参照して詳細に説明する。
図１は、本実施の形態に係る保守点検システムの概略構成を示した図である。
保守点検システム１０は、保守点検モードを有する携帯端末１と、各種電子機器３に設置され、携帯端末１からの近距離無線通信を受信する保守点検装置２とから構成される。
現場に複数置いてある電子機器３の保守点検を行う場合、保守点検者は、携帯端末１から近距離無線通信によって各種電子機器３に保守点検にきた旨を発信する。保守点検装置２は、近距離無線通信による信号を受信すると、光または音などにより応答を行う。これにより、保守点検者は、容易に電子機器３の位置を認識することができる。
【００１１】
次に、携帯端末１と保守点検装置２の構成について、図２を参照しながら説明する。なお、本実施の形態では一例として、携帯端末１を近距離無線通信が可能な携帯電話であるとして説明する。
携帯端末１は、通信部１１、制御部１２、記録部１３、表示部１４、操作部１５を備えている。
通信部１１は、携帯端末１と保守点検装置２とを近距離無線通信接続を行うデバイスであり、本実施の形態では、一例として、Ｂｌｕｅｔｏｏｔｈのチップなどであるとする。なお、Ｂｌｕｅｔｏｏｔｈを用いた近距離無線通信の場合、電波到達距離は約１０ｍとなる。また、本実施の形態の携帯端末１では通信部１１は、携帯電話としての通信機能も備えているものとする。
また、通信部１１からの信号には、電子機器３の位置を確認する信号（以下、位置確認信号という）と、電子機器３の状態を確認する信号（以下、状態確認信号という）の２つの信号が発信される。なお、どちらの信号を発信するかは、保守点検者が携帯端末１の操作部１５から選択決定することができる。
【００１２】
制御部１２は、不図示のＣＰＵ、ＲＯＭ、ＲＡＭなどを備えており、携帯端末１の各部を制御する。例えば、操作部１５において保守点検装置２への信号送信が選択された場合、記録部１３のプログラムに従って、通信部１１からの位置確認信号または状態確認信号の送信を制御する。
記録部１３には、携帯端末１を保守点検モードとして機能させるプログラムなど、各種のプログラムが記録されている。また、記録部１３には、操作部１５のテンキーと電子機器３の種類が対応付けて格納されている。また、電子機器３の種類ごとに、位置確認信号、状態確認信号が対応づけて格納されている。また、記憶部１３には、保守点検装置２から送信されてくる電子機器３の状態を示す信号に対応づけた、状態情報が格納されている。
表示部（表示手段）１４は、保守点検装置２から受信した電子機器３の状態を表示する。操作部１５は、文字や数字を入力するテンキーなどにより構成されており、保守点検者による保守点検モード設定、保守点検のための信号発信などに使用される。
【００１３】
次に、保守点検装置２について説明する。保守点検装置２は、信号受信部２１、応答部２２、状態取得部２３、送信制御部２４、その他、不図示の入出力部、記憶部などを備えている。
信号受信部（信号受信手段）２１は、保守点検モードにおいて、携帯端末１からの近距離無線通信による位置確認信号または状態確認信号を受信する。なお、信号受信部２１は、携帯端末１から信号を受信した際、不図示の記録部にあらかじめ格納されている電子機器３の種類ごとに対応付けられている位置確認信号および状態確認信号の情報を参照し、保守点検装置２が設置されている電子機器３に対する信号であるか否かを判断する。
【００１４】
応答部（応答手段）２２は、ＬＥＤ発光素子や音発生器などから構成されている。応答部２２は、信号受信部２１が受信した信号が位置確認信号であった場合に、光や音で応答するようになっている。これにより、保守点検者は、音や光によって容易に電子機器３の位置を認識することができる。
状態取得部２３は、所定の自己診断プログラムに従って、電子機器３がどのような状態であるか、正常か、異常か、故障しているかなどの状態を取得する。
送信制御部２４は、状態取得部２３によって取得した電子機器３の状態を携帯端末１に送信する。なお、送信制御部２４は、電子機器３の状態を送信する際、不図示の記録部にあらかじめ格納されている状態ごとに対応付けられている信号を参照して、状態に該当する信号を携帯端末１に送信するようになっている。
【００１５】
次に、本実施の形態に係る保守点検システム１０の動作について図３のフローを参照しながら説明する。ここでは、携帯端末１を携帯した保守点検者が、現場内の電子機器３の保守点検を行う場合について説明する。
まず、保守点検者が携帯端末１の保守点検モードを設定し、例えば、保守点検者がテンキー「１」を選択入力すると、制御部１２は、記録部１３からテンキー「１」に対応づけられた電子機器３の種類を読み出す。そして、制御部１２は、当該電子機器３に対応づけられた信号を通信部１１から近距離通信で発信するように制御する。
保守点検装置２の信号受信部２１は、電子機器３への信号を受信すると（ステップＳ３００）、受信した信号が位置確認信号であるか否かを判断する。ここで、信号受信部２１が受信した信号が位置確認信号である場合（ステップＳ３０２で「Ｙｅｓ」）、応答部２２により、音または光による応答を行う（ステップＳ３０４）。これにより、保守点検者は、見つけにくい場所にある電子機器３の位置を容易に見つけることができる。
【００１６】
一方、信号受信部２１が受信した信号が位置確認信号でない場合（ステップＳ３０２で「Ｎｏ」）、状態取得部２３によって電子機器３の状態の取得を行う（ステップＳ３０６）。そして、送信制御部２４は、記憶部を参照し、取得した電子機器３の状態に該当する信号を携帯端末１に送信する（ステップＳ３０８）。これにより、保守点検者は、電子機器３の場所や状態を容易に電子機器３を直接調べることなく、状態を容易に把握することができる。
携帯端末１は、電子機器３の状態を示す信号を受信すると、記憶部１３から当該信号に該当する状態情報を読み出し、表示部１４に、例えば「正常動作」というように表示を行う。これにより、保守点検者は、電子機器３の状態を容易に認識することができる。
【００１７】
以上、本発明の一実施形態について説明したが、本発明は、上述の実施形態に限定されるものではない。
例えば、電子機器３の種類ごとに対応づけられたテンキーを選択入力することにより、保守点検を行うものとして説明したが、現場内の電子機器３の保守点検装置２すべてに対して近距離通信で位置確認信号や状態確認信号を発信するようにしてもよい。この場合、携帯端末１の近距離通信範囲内の保守点検装置２すべてから一斉に応答や状態送信が行われるので、電子機器１つ１つではなく、多数の電子機器３を一度に保守点検することができる。
【００１８】
また、位置確認信号と状態確認信号を分けて発信するとして説明したが、例えば、１つの確認信号としてもよい。この場合、保守点検装置２は、応答と、状態送信の両方を同時に行うものとする。
また、携帯端末１を携帯電話として説明してきたが、これに限られるものではなく、ＰＤＡ（Ｐｅｒｓｏｎａｌ  Ｄｉｇｉｔａｌ  Ａｓｓｉｓｔａｎｔ）、ポータブルＰＣ（Ｐｅｒｓｏｎａｌ  Ｃｏｍｐｕｔｅｒ）端末、専用端末などであり、近距離無線通信が可能なインタフェースを搭載したものであればよい。
【００１９】
【発明の効果】
請求項１記載の発明は、保守点検装置は、保守点検モードにおいて、携帯端末からの近距離無線通信による信号を受信し、受信した信号に基づいて、所定の応答を行うので、保守点検者は、電子機器の位置、場所を容易に見つけることができる。
請求項２記載の発明は、応答手段は、光または音により応答するので、保守点検者は、光や音によって容易に電子機器３の位置を認識することができる。
【００２０】
請求項３記載の発明は、保守点検装置は、電子機器の状態を取得し、取得した電子機器の状態を携帯端末に送信するので、保守点検者は、電子機器を直接調べることなく、状態を容易に把握することができる。
請求項４記載の発明は、携帯端末は、送信制御手段により送信される電子機器の状態を表示する表示手段を備えるので、保守点検者は、電子機器の状態をより確実に認識できる。
【図面の簡単な説明】
【図１】本実施の形態に係る保守点検システムの概略構成を示した図である。
【図２】携帯端末および保守点検装置の概略構成を示した図である。
【図３】保守点検システムの動作を示したフローチャートである。
【符号の説明】
１        携帯端末
２        保守点検装置
３        電子機器
１０      保守点検システム
２１      信号受信部
２２      応答部
２３      状態取得部
２４      送信制御部
【図１】
2004171182.tif 000003
【図２】
2004171182.tif 000004
【図３】
2004171182.tif 000005